【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項１】  ケイ素／ヒドロキシル成分および架橋成分を含む、結合剤を含んだ硬化性被覆組成物であって、
前記ケイ素／ヒドロキシル成分が、
（Ｉ）線状または分枝状脂環式部分と、少なくとも２個の官能基であって前記基の少なくとも１個がシランまたはシリケートであり残りの基がヒドロキシル基である官能基と、を有するケイ素／ヒドロキシル反応性オリゴマー、
（ＩＩ）線状または分枝状脂環式部分とシラン、シリケート、またはこれらの組合せである少なくとも２個の官能基とを有するケイ素反応性オリゴマー、ならびにヒドロキシアクリルポリマー、ヒドロキシポリエステル、線状または分枝状脂環式部分と少なくとも２個のヒドロキシル基とを有するケイ素を含まない反応性オリゴマー、もしくはこれらの組合せ、または
（ＩＩＩ）前記（Ｉ）および（ＩＩ）の組合せ
を含み、
前記ケイ素／ヒドロキシル反応性オリゴマー、前記ケイ素反応性オリゴマー、および前記ケイ素を含まない反応性オリゴマーの全てが、ＧＰＣ重量平均分子量が４，０００以下であり、多分散度が１．７以下であり、
前記架橋成分が、ブロック型架橋剤またはアンブロック型架橋剤を含み、前記ブロック型架橋剤またはアンブロック型架橋剤が、少なくとも２個のイソシアネート基を備え、ヒドロキシル基の当量当たりのイソシアネート基の当量の比が０．３／１から２．０／１の範囲にあること
を特徴とする硬化性被覆組成物。
【請求項２】  前記ケイ素／ヒドロキシル反応性オリゴマーが、３０００を超えるＧＰＣ重量平均分子量を有する前記ヒドロキシアクリルポリマー、１５００を超えるＧＰＣ重量平均分子量を有する前記ヒドロキシポリエステル、前記ケイ素を含まない反応性オリゴマー、またはこれらの組合せとさらに配合されることを特徴とする請求項１に記載の組成物。
【請求項３】  前記ヒドロキシル成分が、分散アクリルポリマーを、結合剤の全重量に対するパーセンテージで４０重量パーセントまでさらに含むことを特徴とする請求項１または２に記載の組成物。
【請求項４】  前記ヒドロキシアクリルポリマーはＧＰＣ重量平均分子量が３０００を超え、少なくとも２個の官能基を有し、前記基の少なくとも１個がヒドロキシ基であり残りの基がシラン、シリケート、またはこれらの組合せであることを特徴とする請求項１に記載の組成物。
【請求項５】  前記ヒドロキシポリエステルはＧＰＣ重量平均分子量が１５００を超え、少なくとも２個の官能基を有し、前記基の少なくとも１個がヒドロキシ基であり残りの基がシラン、シリケート、またはこれらの組合せであることを特徴とする請求項２に記載の組成物。
【請求項６】  前記架橋成分が、アルジミン、メラミン−ホルムアルデヒド、ケチミン、ポリアスパラギン酸エステル、およびこれらの組合せからなる群から選択された非イソシアネート架橋剤をさらに含むことを特徴とする請求項１に記載の組成物。
【請求項７】  前記ケイ素を含まない反応性オリゴマーが、オリゴマー酸と一官能性エポキシとの反応によってオリゴマー化することを特徴とする請求項１に記載の組成物。
【請求項８】  前記オリゴマー酸が、多官能性アルコールとモノマー無水物との反応生成物であることを特徴とする請求項７に記載の組成物。
【請求項９】  前記オリゴマー酸が、少なくとも１個のヒドロキシル官能基を備えるように、前記オリゴマー酸が、多官能性アルコールと、理論量未満のモノマー無水物との反応生成物であることを特徴とする請求項８に記載の組成物。
【請求項１０】  前記ケイ素反応性オリゴマーが、前記ケイ素を含まない反応性オリゴマーとイソシアナートシラン化合物とを反応させることによって生成されることを特徴とする請求項１に記載の組成物。
【手続補正２】
【補正対象書類名】明細書
【補正対象項目名】０１５７
【補正方法】変更
【補正の内容】
【０１５７】
実施例６、７、および８では、ケイ素反応性オリゴマーを含有する透明な被覆組成物が、ケイ素反応性オリゴマーを含有しない類似の透明被覆組成物（比較）に比べてその固形分が多く、表面摩耗抵抗が良好であり、耐腐食性が同様かそれ以上に良好であることを実証している。
以下に、本発明の好ましい態様を示す。
１．  ケイ素／ヒドロキシル成分および架橋成分を含む、結合剤を含んだ硬化性被覆組成物であって、
前記ケイ素／ヒドロキシル成分が、
（Ｉ）線状または分枝状脂環式部分と、少なくとも２個の官能基であって前記基の少なくとも１個がシランまたはシリケートであり残りの基がヒドロキシル基である官能基と、を有するケイ素／ヒドロキシル反応性オリゴマー、
（ＩＩ）線状または分枝状脂環式部分とシラン、シリケート、またはこれらの組合せである少なくとも２個の官能基とを有するケイ素反応性オリゴマー、ならびにヒドロキシアクリルポリマー、ヒドロキシポリエステル、線状または分枝状脂環式部分と少なくとも２個のヒドロキシル基とを有するケイ素を含まない反応性オリゴマー、もしくはこれらの組合せ、または
（ＩＩＩ）前記（Ｉ）および（ＩＩ）の組合せ
を含み、
前記ケイ素／ヒドロキシル反応性オリゴマー、前記ケイ素反応性オリゴマー、および前記ケイ素を含まない反応性オリゴマーの全てが、ＧＰＣ重量平均分子量が４，０００以下であり、多分散度が１．７以下であり、
前記架橋成分が、ブロック型架橋剤またはアンブロック型架橋剤を含み、前記ブロック型架橋剤またはアンブロック型架橋剤が、少なくとも２個のイソシアネート基を備え、ヒドロキシル基の当量当たりのイソシアネート基の当量の比が０．３／１から２．０／１の範囲にあること
を特徴とする硬化性被覆組成物。
２．  前記ケイ素／ヒドロキシル反応性オリゴマーが、３０００を超えるＧＰＣ重量平均分子量を有する前記ヒドロキシアクリルポリマー、１５００を超えるＧＰＣ重量平均分子量を有する前記ヒドロキシポリエステル、前記ケイ素を含まない反応性オリゴマー、またはこれらの組合せとさらに配合されることを特徴とする１．に記載の組成物。
３．  前記ヒドロキシル成分が、分散アクリルポリマーを、結合剤の全重量に対するパーセンテージで４０重量パーセントまでさらに含むことを特徴とする１．または２．に記載の組成物。
４．  前記ヒドロキシアクリルポリマーはＧＰＣ重量平均分子量が３０００を超え、少なくとも２個の官能基を有し、前記基の少なくとも１個がヒドロキシ基であり残りの基がシラン、シリケート、またはこれらの組合せであることを特徴とする１．に記載の組成物。
５．  前記ヒドロキシポリエステルはＧＰＣ重量平均分子量が１５００を超え、少なくとも２個の官能基を有し、前記基の少なくとも１個がヒドロキシ基であり残りの基がシラン、シリケート、またはこれらの組合せであることを特徴とする２．に記載の組成物。
６．  前記架橋成分が、アルジミン、メラミン−ホルムアルデヒド、ケチミン、ポリアスパラギン酸エステル、およびこれらの組合せからなる群から選択された非イソシアネート架橋剤をさらに含むことを特徴とする１．に記載の組成物。
７．  前記ケイ素を含まない反応性オリゴマーが、オリゴマー酸と一官能性エポキシとの反応によってオリゴマー化することを特徴とする１．に記載の組成物。
８．  前記オリゴマー酸が、多官能性アルコールとモノマー無水物との反応生成物であることを特徴とする７．に記載の組成物。
９．  前記オリゴマー酸が、少なくとも１個のヒドロキシル官能基を備えるように、前記オリゴマー酸が、多官能性アルコールと、理論量未満のモノマー無水物との反応生成物であることを特徴とする８．に記載の組成物。
１０．  前記ケイ素反応性オリゴマーが、前記ケイ素を含まない反応性オリゴマーとイソシアナートシラン化合物とを反応させることによって生成されることを特徴とする１．に記載の組成物。
１１．  前記ケイ素反応性オリゴマーが、線状または分枝状脂環式部分を有する多官能性アルコールとイソシアナートシラン化合物との反応によって、オリゴマー化したことを特徴とする１．に記載の組成物。
１２．  前記一官能性エポキシが、エチレンオキシド、ブチレンオキシド、プロピレンオキシド、およびこれらの組合せからなる群から選択されることを特徴とする７．に記載の組成物。
１３．  スズ化合物、第三級アミン、酢酸、ドデシルベンゼンスルホン酸、フェニル酸ホスファート、およびこれらの組合せからなる群から選択された触媒をさらに含むことを特徴とする１．に記載の組成物。
１４．  顔料をさらに含むことを特徴とする１．に記載の組成物。
１５．  基板の表面上に被覆を生成する方法であって、前記方法が、
前記表面上に硬化性被覆組成物の層を塗布する工程において、前記組成物中の結合剤がケイ素／ヒドロキシル成分および架橋成分を含み、前記ケイ素／ヒドロキシル成分が、
（Ｉ）線状または分枝状脂環式部分と、少なくとも２個の官能基であって前記基の少なくとも１個がシランまたはシリケートであり残りの基がヒドロキシル基である官能基と、を有するケイ素／ヒドロキシル反応性オリゴマー、
（ＩＩ）線状または分枝状脂環式部分とシラン、シリケート、またはこれらの組合せである少なくとも２個の官能基とを有するケイ素反応性オリゴマー、ならびにヒドロキシアクリルポリマー、ヒドロキシポリエステル、線状または分枝状脂環式部分と少なくとも２個のヒドロキシル基とを有するケイ素を含まない反応性オリゴマー、もしくはこれらの組合せ、または
（ＩＩＩ）前記（Ｉ）および（ＩＩ）の組合せを含み、
前記ケイ素／ヒドロキシル反応性オリゴマー、前記ケイ素反応性オリゴマー、および前記ケイ素を含まない反応性オリゴマーの全てが、ＧＰＣ重量平均分子量が４，０００以下であり、多分散度が１．７以下であり、前記架橋成分が、ブロック型架橋剤またはアンブロック型架橋剤を含み、前記ブロック型架橋剤またはアンブロック型架橋剤が少なくとも２個のイソシアネート基を備え、ヒドロキシル基の当量当たりのイソシアネート基の当量の比が０．３／１から２．０／１の範囲にある硬化性被覆組成物の層を、前記表面上に塗布する工程と、
前記層を硬化して、前記基板の前記表面上に前記被覆を形成する工程と、
を含むことを特徴とする方法。
１６．  前記層は周囲条件下で硬化される、または高められた温度で焼成硬化されることを特徴とする１５．に記載の方法。
１７．  １５．または１６．に記載の方法により被覆されたことを特徴とする基板。